(57)【要約】【課題】複数本のワイヤハーネスを、テープ巻き付け作業を不要にするとともに、複数本のワイヤハーネスの軸方向にも軸方向に直交する方向にも移動できないように留める。【解決手段】クランプ１は、パネル固定部５とワイヤハーネス保持部６を備え、ワイヤハーネス保持部６は、上部が開放したＵ字溝形状の保持部本体１０とカバー部１１を備え、保持部本体１０には、複数本のワイヤハーネスを下方から弾性的に支持する、弾性で可撓性のハーネス支持片１３が形成され、ハーネス支持片より上部には、複数本のワイヤハーネスを両側に拡がらないように支持し規制する、剛性のハーネス受け部１４が形成されている。カバー部１１には、複数本のワイヤハーネスの上部を弾性的に押さえる、弾性のハーネス押さえ片２３（２５）が形成されて、複数本のワイヤハーネス外周全体が弾性的に押圧するように包み込まれる。【選択図】図４
2009112092.tif 000002
【特許請求の範囲】
【請求項１】
複数本のワイヤハーネスを保持するワイヤハーネス保持部を有するクランプであって、
前記ワイヤハーネス保持部は、上部が開放したＵ字溝形状に形成されて複数本のワイヤハーネスを収容する空間を形成した保持部本体と、前記保持部本体の開放上部を閉じるカバー部とを備え、
前記保持部本体には、前記Ｕ字溝形状の空間の中間高さ位置に、複数本のワイヤハーネスを下方から弾性的に支持する、弾性で可撓性のハーネス支持片が形成されており、該保持部本体にはまた、該ハーネス支持片より上部であって前記Ｕ字溝形状空間の開放部に隣接する位置に、複数本のワイヤハーネスを両側に拡がらないように支持し規制する、剛性のハーネス受け部が形成されており、
前記カバー部には、該カバー部が閉じた状態において前記Ｕ字溝形状空間の開放部を閉じて複数本のワイヤハーネスの上部を弾性的に押さえる、弾性のハーネス押さえ片が形成されており、
前記Ｕ字溝形状の空間に収容された複数本のワイヤハーネス外周全体が、前記ハーネス支持片と前記ハーネス受け部と前記ハーネス押さえ片とによって、弾性的に押圧するように包み込まれて、ワイヤハーネスが軸方向にスライドするのを阻止し且つ前記軸方向に直交する方向のがたつきを阻止する、
ことを特徴とするクランプ。
【請求項２】
請求項１に記載のクランプにおいて、前記カバー部の一端と前記保持部本体の一方の側部とがヒンジで連結されて、該ヒンジ回りにカバー部が旋回して前記保持部本体の開放部分を閉じる構成である、ことを特徴とするクランプ。
【請求項３】
請求項２に記載のクランプにおいて、前記カバー部には、前記ヒンジと反対の端部にロック部が形成され、前記保持部本体には、前記ヒンジと反対の側部に、前記ロック部に係止する係止部が形成されており、前記ヒンジ回りにカバー部が旋回して前記保持部本体の開放部を閉じると前記ロック部が前記係止部に係止して前記開放部分を閉じた状態を維持する構成である、ことを特徴とするクランプ。
【請求項４】
請求項３に記載のクランプにおいて、前記ロック部は、前記係止部に係止する第１ロック爪と第２ロック爪とを有し、前記第１ロック爪は、前記カバー部が前記保持部本体のワイヤハーネスの収容空間の上部の空間をやや拡げる姿勢で前記係止部に係止する位置に形成されており、前記第２ロック爪は、前記カバー部が前記保持部本体のワイヤハーネスの収容空間の上部の空間を拡げない姿勢で前記係止部に係止する位置に形成されている、ことを特徴とするクランプ。
【請求項５】
請求項１〜４のいずれか１項に記載のクランプにおいて、前記ハーネス支持片と前記ハーネス受け部とは、前記Ｕ字溝形状の空間の内側に突出するように、それぞれ、一対形成されている、ことを特徴とするクランプ。
【請求項６】
請求項１〜５のいずれか１項に記載のクランプにおいて、更に、前記ワイヤハーネス保持部には、パネル等の被取付部材に固定されるパネル固定部が一体成形されている、ことを特徴とするクランプ。
【請求項７】
請求項６に記載のクランプにおいて、前記パネル固定部は、パネルに立設された板形状の取付部を挟持する一対の弾性係止部を有する、ことを特徴とするクランプ。
【発明の詳細な説明】
【技術分野】
【０００１】
本発明は、複数本のワイヤハーネスを多少にかかわらず、テープで巻回したのと同様に安定して保持するクランプに関する。
【背景技術】
【０００２】
複数本のワイヤハーネスをパネル等の被取付部材に取付けるのに、複数本のワイヤハーネスをテープで巻き付けるのが一般的である。テープで巻回することによって、複数本のワイヤハーネスは、相互に軸方向にも軸方向に直交する方向にずれなくできる。しかし、テープの巻き付け作業は時間がかかり、一定レベルの技術を必要とする。
【０００３】
【特許文献１】実開平５−０４７６６６号公報
【特許文献２】実開平７−００２６９０号公報
【特許文献３】実開平７−０５９２３２号公報
【特許文献４】特開２０００−３４６２４５号公報
【特許文献５】特開２００５−１１３９５３号公報
【発明の開示】
【発明が解決しようとする課題】
【０００４】
特許文献１には、コード等の線状物を約３〜８個のいずれでも被取付部材に留め付けできるようにする線状物の留め具が記載されている。この留め具においては、取付基板の一端部にヒンジ部を介して折り曲げ自由な押圧挟持片が設けられ、取付基板の他端部には押圧挟持片の揺動軌跡の円弧に沿って弧状の係止片を立設され、押圧挟持片の自由端部には係止片を受け入れる空部を備えた倒立Ｕ字形断面形の係止部が設られ、係止部と係止片との係合により、取付基板と押圧挟持片との間に３〜８本の線状物が締め付け状態に留め付けられる。特許文献１は、１つの留め具によって、複数のコード等の線状物を被取付部材に留める構成を記載している。しかし、この留め具は、複数の線状物をテープで巻回したように、複数の線状物を、その軸方向に直交する方向にもその軸方向にも移動できないように留めるものではない。
【０００５】
特許文献２は、２本の電線等の長尺部材を被取付部材に固定できる電線等の保持具を記載している。この保持具は、２本の電線を別々に取付ける構造であって、複数本のワイヤハーネス等の長尺部材を一緒に固定することはできない。特許文献３は、電線を容易に車両本体等の被取付部材に固定できる、安価な電線用クリップを記載している。このクリップは、１本の長尺部材を固定する構造であって、複数本のワイヤハーネス等の長尺部材を一緒に固定することはできない。
【０００６】
特許文献４に記載された棒状体ホルダーは、棒状体の上部外面と下部外面とを、撓み変形による弾性によって保持する弾性保持片を有する。この棒状体ホルダーは、複数本のワイヤハーネス等の長尺部材を一緒に固定する構造ではない。また、弾性保持片は棒状体の外面下部を弾性的に保持しているが、棒状体ホルダーは、テープ巻き付けのように複数本の棒状体全体を包み込むように保持するものでもない。更に、特許文献５のケーブルクランプは、１本のケーブルを強固に保持する構造である。このケーブルクランプは、複数本のワイヤハーネス等の長尺部材を一緒に固定する構造ではない。また、テープ巻き付けのように複数本のケーブル全体を包み込むように保持するものではない。ホルダーを記載している。
【０００７】
従って、本発明の目的は、複数本のワイヤハーネスを、テープ巻き付け作業を不要にするとともに、複数本のワイヤハーネスをテープで巻回したように複数本のワイヤハーネスの軸方向にも及び軸方向に直交する方向にも移動できないように留める、ワイヤハーネスのクランプを提供することにある。
【課題を解決するための手段】
【０００８】
かかる目的を達成するため、本発明による、複数本のワイヤハーネスを保持するワイヤハーネス保持部を有するクランプは、ワイヤハーネス保持部は、上部が開放したＵ字溝形状に形成されて複数本のワイヤハーネスを収容する空間を形成した保持部本体と、保持部本体の開放上部を閉じるカバー部とを備え、保持部本体には、Ｕ字溝形状の空間の中間高さ位置に、複数本のワイヤハーネスを下方から弾性的に支持する、弾性で可撓性のハーネス支持片が形成されており、保持部本体にはまた、ハーネス支持片より上部であってＵ字溝形状空間の開放部に隣接する位置に、複数本のワイヤハーネスを両側に拡がらないように支持し規制する、剛性のハーネス受け部が形成されており、カバー部には、カバー部が閉じた状態においてＵ字溝形状空間の開放部を閉じて複数本のワイヤハーネスの上部を弾性的に押さえる、弾性のハーネス押さえ片が形成されており、Ｕ字溝形状の空間に収容された複数本のワイヤハーネス外周全体が、ハーネス支持片とハーネス受け部とハーネス押さえ片とによって、弾性的に押圧するように包み込まれて、ワイヤハーネスが軸方向にスライドするのを阻止し且つ軸方向に直交する方向のがたつきを阻止する。
【０００９】
上記のように、本発明に係るクランプは、Ｕ字溝形状の空間に収容された複数本のワイヤハーネス外周全体が、ハーネス支持片とハーネス受け部とハーネス押さえ片とによって、弾性的に押圧するように包み込まれて、ワイヤハーネスが軸方向にスライドするのを阻止し且つ軸方向に直交する方向のがたつきを阻止するので、複数本のワイヤハーネスをテープで巻回したと同じ効果を奏するので、面倒なテープ巻き付け作業を廃止でき、異なる本数のワイヤハーネスであっても、同じクランプで保持でき、クランプの共用化が図れる。
【００１０】
上記クランプにおいて、カバー部の一端と保持部本体の一方の側部とがヒンジで連結されて、ヒンジ回りにカバー部が旋回して保持部本体の開放部分を閉じる構成である。カバー部には、ヒンジと反対の端部にロック部が形成され、保持部本体には、ヒンジと反対の側部に、ロック部に係止する係止部が形成されており、ヒンジ回りにカバー部が旋回して保持部本体の開放部を閉じるとロック部が係止部に係止して開放部分を閉じた状態を維持する構成である。ロック部は、係止部に係止する第１ロック爪と第２ロック爪とを有し、第１ロック爪は、カバー部が保持部本体のワイヤハーネスの収容空間の上部の空間をやや拡げる姿勢で係止部に係止する位置に形成されており、第２ロック爪は、カバー部が保持部本体のワイヤハーネスの収容空間の上部の空間を拡げない姿勢で係止部に係止する位置に形成されている。ハーネス支持片とハーネス受け部とは、Ｕ字溝形状の空間の内側に突出するように、それぞれ、一対形成されている。
【００１１】
ワイヤハーネス保持部には、パネル等の被取付部材に固定されるパネル固定部が一体成形されている。パネル固定部は、パネルに立設された板形状の取付部を挟持する一対の弾性係止部を有する。これによって、クランプを被取付部材へ取付ける作業が容易になり、ワイヤハーネスの取付け作業を容易にできる。
【発明を実施するための最良の形態】
【００１２】
以下、本発明の１実施形態に係る、複数本の小径のワイヤハーネスのクランプ１について図面を参照して説明する。図１、図２及び図３には、それぞれ、クランプ１の平面図、正面図及び右側面図が示されている。クランプ１は、硬質のプラスチック材料により一体に成形される。図４は、被取付部材としてのパネル２に、３本の小径のワイヤハーネス３が、クランプ１によって取付けられた様子を示す。図５、図６及び図７は、それぞれ、クランプ１に、５本、６本及び８本のワイヤハーネス３が保持された様子を示す図である。
【００１３】
図１〜図３を参照して、クランプ１の構成を説明する。クランプ１は、パネル固定部５とワイヤハーネス保持部６とから成る。パネル固定部５は、図４に図示のように、パネル２に立設した板形状の取付部７を咥える一対の弾性係止部９を有する。クランプ１は、図４の板形状の取付部７を一対の弾性係止部９の間に受入れるようにパネル２に押込まれるとパネル２に固定される。なお、パネル固定部５の弾性係止部９は、図示の例では、図２において右側からパネル２の取付部７を受入れる形状に形成されているが、パネル２の取付部７を図２の左側からあるいは下側から受入れる形状であってもよい。また、パネル固定部５は、他の形状であってもよく、例えば、パネル２に、ねじあるいは周溝が形成された棒状スタッドが立設されている場合、その棒状スタッドを受入れて係止する形状に形成されてもよく、更に、パネル２に取付穴が形成されている場合、その取付穴に挿入されて係止するクリップ形状のものであってもよい。
【００１４】
ワイヤハーネス保持部６は、パネル固定部５に固く連結されており、図１に図示のように、ワイヤハーネスを一定の長さにわたって保持するように、一定の幅（図１の上下方向の長さ）を有する。ワイヤハーネス保持部６は、図２に示すように、開放した上面から下方に向けてほぼＵ字溝状に形成された保持部本体１０と、保持部本体１０の開放部分を閉じるカバー部１１とから成る。保持部本体１０の内側は、複数本の小径のワイヤハーネス３を収容して保持するため、図２に示すように、下方に向けてＵ字溝形状の剛性の壁面１２として形成されている。Ｕ字溝形状の壁面１２の中間高さ位置には、弾性で可撓性の板状体で成る、一対のハーネス支持片１３が、側壁からＵ字溝の中に向けて延びて形成されている。ハーネス支持片１３は、保持部本体１０に収容された複数本のワイヤハーネス３によって下方に撓められて、ワイヤハーネス３の下側部分を撓んで変形した状態で弾性的に支持する。ハーネス支持片１３は、図１に示すように、一方（左側）が保持部本体１０の幅全体に延び、他方（右側）が保持片１０の全体幅より短く形成されてもよく、両方のハーネス支持片１３が保持部本体１０の幅全体に延びて形成されてもよい。保持部本体１０には、図２において、ハーネス支持片１３よりも上部側の、Ｕ字溝の開放部分に隣接する位置に、Ｕ字溝空間に受入れたワイヤハーネスを両側に拡がらないように支持し規制する剛性のハーネス受け部１４が一対設けられている。このハーネス受け部１４は、また、ハーネス支持片１３と協働して、複数本の小径のワイヤハーネス３を両側上部から包むように機能する。ハーネス受け部１４は、図１に示すように、保持部本体１０の幅のほぼ半分の長さに形成されている。この長さは保持部本体１０の幅全体であってもよい。ハーネス受け部１４は剛性であり、ハーネス支持片１３は弾性であるので、ワイヤハーネス３の数が増すと、図５〜図７に示すように、複数本のワイヤハーネス３はハーネス支持片１３を下方側に撓め、一部のワイヤハーネスは保持部本体１０の底壁に向けて押し込まれる。
【００１５】
保持部本体１０には、カバー部１１の側と反対の側に、カバー部１１のロック爪２１又は２２と係止する係止肩を形成する係止部１５が形成されている。係止部１５は、図２において、左側のハーネス受け部１４の裏面側に形成されており、破線で示されている。
【００１６】
なお、保持部本体１０の底部とパネル固定部５の上部側壁との境界部分には、連結強度を増すためのリブ１７が形成されている。
【００１７】
カバー部１１の一端は、保持部本体１０の一方の側部に、薄板形状のヒンジ１８を介して、ヒンジ１８回りに旋回可能に連結されている。カバー部１１は、ヒンジ１８回りに旋回して、保持部本体１０の一対のハーネス支持片１３と一対のハーネス受け部１４との間に収容されて保持された複数本のワイヤハーネス３の上部を閉じ、ワイヤハーネス３の抜け出し阻止する。そのため、カバー部１１には、先端側（図２の上端側）にロック部１９が形成されている。ロック部１９には、保持部本体１０の係止部１５に係止する第１ロック爪２１と第２ロック爪２２が形成されている。第１ロック爪２１は、図２において倒立したＬ字型に形成されたロック部１９の先端側に形成されており、第２ロック爪２２は、第１ロック爪２１より根元側に形成されている。第１ロック爪２１は、係止部１５に係止すると、カバー部１１が図５及び図７に示すように左側において上がった傾いた姿勢に閉じて、保持部本体１０のワイヤハーネスを支持する空間の上部を、ワイヤハーネスの収容本数を増加するようにやや拡げる。第２ロック爪２２は、係止部１５に係止すると、カバー部１１が図４及び図６に示すように水平な姿勢に閉じて、保持部本体１０ワイヤハーネスを支持する空間の上部を拡げることはなく、保持部本体１０の中の空間だけにワイヤハーネスを収容する。第１ロック爪２１と第２ロック爪２２とは、図４〜図７に示されるように、保持すべきワイヤハーネス３の数によって係止部１５への係止が選択される。これは、保持すべきワイヤハーネス３の数によって、収容容量が増すだけでなく、図４〜図７に示されるように、保持すべきワイヤハーネス３の数によって弾性のハーネス支持片１３の変形の程度が異なり、ハーネス支持片１３とハーネス受け部１４の間の収容容量が変化するからである。なお、第１ロック爪２１と第２ロック爪２２のそれぞれの係止位置は、保持すべきワイヤハーネス３の直径とその数による収容形状の幾何学的寸法によって選定される。
【００１８】
更に、カバー部１１には、弾性のハーネス支持片１３と剛性のハーネス受け部１４の間に収容された複数本のワイヤハーネス３の上部を、弾性的に支持するとともに、包むように機能するハーネス押さえ片２３が形成されている。ハーネス押さえ片２３は、先端部２５（図２）が、一対のハーネス受け部１４の間のワイヤハーネスを弾性的に押さえるように形成されている。ハーネス押さえ片２３及び先端部２５は、図３に図示の例では、ロック部１９を間にして、カバー部１１の幅方向（図３の左右方向）の両側に形成されているが、他の例では、保持部本体１０の幅全体に延びて形成されていてもよい。ハーネス押さえ片２３は、ハーネス支持片１３とハーネス受け部１４と協働して、複数本のワイヤハーネス３の全体を包むように機能する。図４〜図７に示すように、複数本のワイヤハーネス３は、一対の弾性ハーネス支持片１３によって下部部分が支持され、一対の剛性ハーネス受け部１４によって両側が規制され、弾性の先端部２５を有するハーネス押さえ片２３によって上部部分が弾性的に押さえられる。従って、複数本のワイヤハーネス３は、ハーネス支持片１３とハーネス受け部１４とハーネス押さえ片２３とによって外周全体が弾性的に押圧するように包み込まれて、テープの巻き付けと同じ効果を受け、ワイヤハーネスの軸方向に直交する方向のがたつきを阻止するだけでなく、ワイヤハーネスが軸方向にスライドするのも阻止することができる。
【００１９】
なお、図２に示すように、カバー部１１は、薄肉のヒンジ１８に隣接する部分が右側に延びる剛性壁部２６として形成されている。これによって、カバー部１１は、ヒンジ１８回りに旋回して閉じた状態では、保持部本体１０に対して一定の高さで水平になり、カバー部１１のハーネス押さえ片２３が保持部本体１０の上部を適正な姿勢で閉じる。
【００２０】
剛性壁部２６には、図２の破線で示すように、下側及び右側に開放する窓形状の係止穴２７が形成されている。保持部本体１０には、カバー部１１に近い側のハーネス受け部１４に隣接した位置に、係止穴２７に向けて突出部２９が設けられている。カバー部１１がヒンジ１８回りに旋回したとき、突出部２９は、剛性壁部２６に形成された係止穴２７に挿入される。すなわち、カバー部１１がヒンジ１８回りに旋回してロック部１９のロック爪が保持部本体１０のロック部１９に係止すると、突出部２９が係止穴２７の挿入されて係止穴２７に形成された係止肩に係止して、カバー部１１の閉じ状態をロックする。従って、薄肉ヒンジ１８がなんらかの原因で破断したとしても、カバー部１１が閉じてロックした状態は維持されて、ワイヤハーネス３の保持状態が維持される。
【００２１】
かかる構成で成るクランプ１を用いて、３本の小径のワイヤハーネス３をパネル２等の被取付部材に取付けた状態が図４に示されている。３本の小径のワイヤハーネス３は、保持部本体１０のハーネス支持片１３とハーネス受け部１４の間の収容空間に収容されてカバー部１１がヒンジ１８回りに旋回させられて、ロック部１９の第１ロック爪２１が保持部本体１０の係止部１５の係止肩に係止するが、３本のワイヤハーネス３の場合には更にカバー部１１を押込むことができ、第２ロック爪２２が係止部１５の係止肩に係止する。これによって、カバー部１１が閉じた状態にロックされる。このロック状態では、カバー部１１の壁部２６の係止穴２７に保持部本体１０の突出部２９が挿入されており、ヒンジ１８に加えてロック状態を確実に維持する。ワイヤハーネス３が長い場合には、クランプ１はワイヤハーネス３の複数の個所に取付けられる。また、自動車のパネルにワイヤハーネスを取付ける場合、その配管レイアウトに従ってワイヤハーネスの所定個所にクランプ１は取付けられる。その後、パネル２に立設された取付部７に向けてパネル固定部５の弾性係止部９が押付けられて、パネル固定部５がパネル２に固定され、クリップ１を介して３本のワイヤハーネス３がパネル２に取付けられる。
【００２２】
ワイヤハーネス保持部６には、保持部本体１０の内側であって、一対のハーネス支持片１３と一対のハーネス受け部１４の間の空間に、３本の小径のワイヤハーネス３が収容されている。カバー部１０は、ヒンジ１８回りに旋回してロック部１９が、保持部本体１０の係止部１５に係止する位置にあり、第２ロック爪２２が、係止部１５の係止肩に係止している。これによって、ハーネス押さえ片２３の先端部２５が弾性的に撓んで３本のワイヤハーネス３の上部を包むように弾性的に押さえる。３本のワイヤハーネス３は、ハーネス支持片１３とハーネス受け部１４とハーネス押さえ片２３とによって外周全体が押圧するように包み込まれて、テープの巻き付けと同じ効果を受け、ワイヤハーネス３の軸方向に直交する方向のがたつきを阻止するだけでなく、ワイヤハーネスの軸方向のスライドも阻止する。
【００２３】
図５〜図７は、クランプ１に、異なる数のワイヤハーネス３が保持された様子を示している。図５においては、５本のワイヤハーネス３がクリップ１に保持されている。この場合には、ロック部１９は、第１ロック爪２１が係止部１５の係止肩に係止している。このロック状態であっても、５本のワイヤハーネス３は、ハーネス支持片１３とハーネス受け部１４とハーネス押さえ片２３とによって外周全体が押圧するように包み込まれて、テープの巻き付けと同じ効果を受け、ワイヤハーネス３の軸方向に直交する方向のがたつきを阻止し、ワイヤハーネスの軸方向のスライドも阻止する。図６においては、６本のワイヤハーネス３がクリップ１に保持されている。この場合には、ロック部１９は、第２ロック爪２２が係止部１５の係止肩に係止している。このロック状態において、最下部のワイヤハーネス３は保持部本体１０の底壁に接触しているが、この状態であっても、６本のワイヤハーネス３はハーネス支持片１３とハーネス受け部１４とハーネス押さえ片２３とによって外周全体が押圧するように包み込まれ、テープの巻き付けと同じ効果を受け、ワイヤハーネス３の軸方向に直交する方向のがたつきを阻止し、ワイヤハーネスの軸方向のスライドも阻止する。図７の場合においては、８本のワイヤハーネス３がクリップ１に保持されている。ロック部１９は、第１ロック爪２１が係止部１５の係止肩に係止している。このロック状態においても、最下部のワイヤハーネス３は保持部本体１０の底壁に接触しているが、８本のワイヤハーネス３はハーネス支持片１３とハーネス受け部１４とハーネス押さえ片２３とによって外周全体が押圧するように包み込まれ、テープの巻き付けと同じ効果を受け、ワイヤハーネス３の軸方向に直交する方向のがたつきを阻止し、ワイヤハーネスの軸方向のスライドも阻止する。
【００２４】
ハーネス押さえ片２３の先端部２５の撓み強さ、すなわち、ワイヤハーネスを押さえる強さは、図４〜図７のいずれの場合においても、複数本のワイヤハーネス３がハーネス支持片１３とハーネス受け部１４とハーネス押さえ片２３とによって外周全体が、テープの巻き付けと同じ効果を受ける強さで押圧して包み込まれるように、選定できる。
【００２５】
上記のように、３本〜８本の小径のワイヤハーネス３を、同じクランプ１で、テープ巻き付けしたのと同じように保持でき、パネル等への被取付部材の取付け作業を容易にできる。従って、クランプ１によって、面倒なテープ巻き付け作業を廃止できるだけでなく、異なる本数のワイヤハーネスであっても、同じクランプで保持できるので、クランプの共用化が図れ、しかも、クランプを被取付部材へ取付ける作業が容易であるので、ワイヤハーネスの取付け作業を熟練を必要とせずに時間短縮できる。
【図面の簡単な説明】
【００２６】
【図１】本発明の１実施形態に係る、ワイヤハーネスのクランプの平面図である。
【図２】図１のクランプの正面図である。
【図３】図２のクランプの右側面図である。
【図４】図２のクランプに３本のワイヤハーネスを保持してパネルに取付けた状態を示す正面図である。
【図５】図２のクランプに５本のワイヤハーネスを保持した状態を示す正面図である。
【図６】図２のクランプに６本のワイヤハーネスを保持した状態を示す正面図である。
【図７】図２のクランプに８本のワイヤハーネスを保持した状態を示す正面図である。
【符号の説明】
【００２７】
１  ワイヤハーネスのクランプ
２  被取付部材としてのパネル
３  ワイヤハーネス
５  パネル固定部
６  ワイヤハーネス保持部
７  取付部
９  弾性係止部
１０  保持部本体
１１  カバー部
１２  Ｕ字溝形状の壁面
１３  ハーネス支持片
１４  ハーネス受け部
１５  係止部
１８  ヒンジ
１９  ロック部
２１  第１ロック爪
２２  第２ロック爪
２３  ハーネス押さえ片
２５  ハーネス押さえ片の先端部
２６  壁部
２７  係止穴
２９  突出部
【図１】
2009112092.tif 000003
【図２】
2009112092.tif 000004
【図３】
2009112092.tif 000005
【図４】
2009112092.tif 000006
【図５】
2009112092.tif 000007
【図６】
2009112092.tif 000008
【図７】
2009112092.tif 000009